(57)【特許請求の範囲】
【請求項１】
文書データから文書画像を形成して記録紙に印刷する画像形成装置と、メガネ型端末とからなる印刷システムであって、
前記画像形成装置は、
前記文書画像と共に、印刷用のマークと、前記文書データを特定する特定コードとを前記記録紙に印刷した原本の出力を制御する原本出力制御部を具備し、
前記メガネ型端末は、
前方視界の画像を視界画像として撮像する視界撮像部と、
前記マークに基づいて前記視界画像内の前記原本を認識するマーク認識部と、
前記原本の前記特定コードを認識する特定コード認識部と、
前記原本の前記マークと前記視界撮像部との間に遮蔽物を介在させる遮蔽操作によって印刷指示を受け付ける印刷設定部と、
前記特定コード認識部によって認識された前記特定コードを印刷指示として前記画像形成装置に送信する端末通信部とを具備することを特徴とする印刷システム。
【請求項２】
前記印刷設定部は、前記遮蔽操作によって印刷条件を受け付け、
前記端末通信部は、前記特定コードと、前記印刷設定部によって受け付けられた印刷条件とを印刷指示として前記画像形成装置に送信することを特徴とする請求項１記載の印刷システム。
【請求項３】
前記原本出力制御部は、前記マーク及び前記特定コードを前記文書画像と重ならない箇所に印刷させることを特徴とする請求項１又は２記載の印刷システム。
【請求項４】
前記マークは、設定する印刷条件を決める機能識別マークと、印刷条件を設定する条件設定マークとからなり、
前記印刷設定部は、前記遮蔽操作によって指定された前記機能識別マークに対応する印刷条件の設定を、前記条件設定マークに対する前記遮蔽操作によって受け付けることを特徴とする請求項２又は３記載の印刷システム。
【請求項５】
前記印刷設定部は、印刷部数設定用の前記機能識別マークが指定された場合、前記条件設定マークに対する前記遮蔽操作によって印刷部数の増減を受け付けることを特徴とする請求項４記載の印刷システム。
【請求項６】
前記印刷設定部は、濃度設定用の前記機能識別マークが指定された場合、前記条件設定マークに対する前記遮蔽操作によって濃度の濃淡レベルの変更を受け付けることを特徴とする請求項４又は５記載の印刷システム。
【請求項７】
前記印刷設定部は、印刷色設定用の前記機能識別マークが指定された場合、前記条件設定マークに対する前記遮蔽操作によって印刷色の切り換えを受け付けることを特徴とする請求項４乃至６のいずれかに記載の印刷システム。
【請求項８】
前記原本出力制御部は、印刷頁設定用の前記マークと、頁番号とが印刷された前記原本を出力させ、
前記印刷設定部は、前記遮蔽操作によって印刷頁設定用の前記マークが指定されると、前記原本の頁番号を印刷開始頁もしくは印刷終了頁として受け付けることを特徴とする請求項２乃至７のいずれかに記載の印刷システム。
【発明の詳細な説明】
【技術分野】
【０００１】
本発明は、ユーザーの頭部に装着されるメガネ型のウェアラブル端末（以下、メガネ型端末と称す）と、プリンター、複写機、ＭＦＰ（Multifunction Peripheral/Printer/Product）等の画像形成装置とからなる印刷システムに関する。
【背景技術】
【０００２】
従来、文書画像と共に、アドレス情報と媒体識別情報とからなるコード画像を記録紙に印刷し、コード画像をペン型入力装置にて読み取り、読み取られたコード画像に関する情報を印刷装置と通信する技術が提案されている（例えば、特許文献１を参照）。特許文献１によると、記録紙と文書データとの関係でドキュメント管理を実行することが可能となる。
【先行技術文献】
【特許文献】
【０００３】
【特許文献１】特開２００６−２８５９０８号公報
【発明の概要】
【発明が解決しようとする課題】
【０００４】
しかしながら、従来技術では、印刷装置に蓄積されている文書データと、文書画像が印刷された記録紙とを紐付けすることができるものの、文書データを新たに印刷する場合、文書画像が印刷された記録紙を用いて文書データを特定することができないという問題点があった。
【０００５】
本発明は上記課題に鑑みてなされたものであり、その目的とするところは、文書画像が印刷された原本を用いて印刷動作を実行することができる印刷システムを提供することを目的とする。
【課題を解決するための手段】
【０００６】
本発明の印刷システムは、文書データから文書画像を形成して記録紙に印刷する画像形成装置と、メガネ型端末とからなる印刷システムであって、前記画像形成装置は、前記文書画像と共に、印刷用のマークと、前記文書データを特定する特定コードとを前記記録紙に印刷した原本の出力を制御する原本出力制御部を具備し、前記メガネ型端末は、前方視界の画像を視界画像として撮像する視界撮像部と、前記マークに基づいて前記視界画像内の前記原本を認識するマーク認識部と、前記原本の前記特定コードを認識する特定コード認識部と、前記原本の前記マークと前記視界撮像部との間に遮蔽物を介在させる遮蔽操作によって印刷指示を受け付ける印刷設定部と、前記特定コード認識部によって認識された前記特定コードを印刷指示として前記画像形成装置に送信する端末通信部とを具備することを特徴とする。
さらに、本発明の印刷システムにおいて、前記印刷設定部は、前記遮蔽操作によって印刷条件を受け付け、前記端末通信部は、前記特定コードと、前記印刷設定部によって受け付けられた印刷条件とを印刷指示として前記画像形成装置に送信しても良い。
さらに、本発明の印刷システムにおいて、前記原本出力制御部は、前記マーク及び前記特定コードを前記文書画像と重ならない箇所に印刷させても良い。
さらに、本発明の印刷システムにおいて、前記マークは、設定する印刷条件を決める機能識別マークと、印刷条件を設定する条件設定マークとからなり、前記印刷設定部は、前記遮蔽操作によって指定された前記機能識別マークに対応する印刷条件の設定を、前記条件設定マークに対する前記遮蔽操作によって受け付けても良い。
さらに、本発明の印刷システムにおいて、前記印刷設定部は、印刷部数設定用の前記機能識別マークが指定された場合、前記条件設定マークに対する前記遮蔽操作によって印刷部数の増減を受け付けても良い。
さらに、本発明の印刷システムにおいて、前記印刷設定部は、濃度設定用の前記機能識別マークが指定された場合、前記条件設定マークに対する前記遮蔽操作によって濃度の濃淡レベルの変更を受け付けても良い。
さらに、本発明の印刷システムにおいて、前記印刷設定部は、印刷色設定用の前記機能識別マークが指定された場合、前記条件設定マークに対する前記遮蔽操作によって印刷色の切り換えを受け付けても良い。
さらに、本発明の印刷システムにおいて、前記原本出力制御部は、印刷頁設定用の前記マークと、頁番号とが印刷された前記原本を出力させ、前記印刷設定部は、前記遮蔽操作によって印刷頁設定用の前記マークが指定されると、前記原本の頁番号を印刷開始頁もしくは印刷終了頁として受け付けても良い。
【発明の効果】
【０００７】
本発明によれば、文書画像が印刷された原本を用いて印刷動作を実行することができ、文書データ３０の利用者は、原本５０によって実際の出力イメージを確認して上で、その原本５０を用いて簡単に印刷を実行させることができるという効果を奏する。
【図面の簡単な説明】
【０００８】
【図１】本発明に係る印刷システムのシステム構成図である。
【図２】図１に示す画像形成装置の構成を示すブロック図である。
【図３】図２に示す操作パネルに表示される機能受付画面例を示す図である。
【図４】図２に示す原本出力制御部によって出力された原本例を示す図である。
【図５】図１に示すメガネ型端末の構成を示すブロック図である。
【図６】図１に示すメガネ型端末による印刷動作を示すフローチャートである。
【図７】図５に示すマーク認識部の動作を示すフローチャートである。
【図８】図１に示すメガネ型端末による印刷動作を説明する説明図である。
【図９】図１に示すメガネ型端末による印刷動作を説明する説明図である。
【図１０】図１に示すメガネ型端末による印刷動作を説明する説明図である。
【発明を実施するための形態】
【０００９】
以下、図を参照して本発明の実施形態を詳細に説明する。なお、以下の実施形態において、同様の機能を示す構成には、同一の符号を付してある。
【００１０】
本実施の形態の印刷システムは、図１に示すように、プリンター、複写機、ＭＦＰ（Multifunction Peripheral/Printer/Product）等の画像形成装置１と、画像形成装置１と無線ＬＡＮ等のネットワークを介して接続されたメガネ型端末２とを備えている。画像形成装置１は、文書画像５１と機能識別マーク５２を記録紙に印刷した原本５０を出力する。ユーザーは、メガネ型端末２で原本５０を視認し、機能識別マーク５２を用いて印刷条件を設定して画像形成装置１に印刷を指示する。これにより、画像形成装置１は、文書画像５１を記録紙に印刷した印刷物を出力する。
【００１１】
次に、図２を参照して、画像形成装置１について説明する。画像形成装置１は、ＭＦＰ（Multifunction Printer）であり、操作パネル１１と原稿読取部１２と本体記憶部１３と画像処理部１４と印刷部１５と本体通信部１６と本体制御部１７とを備えている。
【００１２】
操作パネル１１は、タッチパネルと操作部とを備えている。タッチパネルは、各種操作キーや画像形成状況を表示する表示部の表面に透明の感圧センサーが設けられており、表示手段及び入力手段として機能する。また、操作部は、テンキー、リセットキー、ストップキー、スタートキー等を備えている。
【００１３】
原稿読取部１２は、図示しない原稿給紙装置により給紙されてきた原稿や、ユーザーによってプラテンガラスに載置された原稿に対して光を照射し、その反射光等を受光して原稿画像を読み取るスキャナーである。
【００１４】
本体記憶部１３は、半導体メモリやＨＤＤ等の記憶手段であり、本体通信部１６を介して受信された文字列を含むテキストデータや、原稿読取部１２によって読み取られた画像データや、本体通信部１６を介して受信された画像データなどが文書データ３０として蓄積される。なお、文書データ３０は、本体記憶部１３ではなく、ネットワーク上のサーバー等の外部記憶装置（データベース）に記憶させるようにしても良い。また、本体記憶部１３には、機能識別マーク情報３１と、レイアウト情報３２とが記憶されている。機能識別マーク情報３１は、機能識別マーク５２を生成するためのパターンデータやイメージデータであり、複数の機能識別マーク５２にそれぞれ対応してものが記憶されている。レイアウト情報３２は、機能識別マーク情報３１のレイアウトを示す情報であり、複数のレイアウトが記憶されている。
【００１５】
画像処理部１４は、画像データに対して所定の画像処理を行う手段である。画像処理部１４では、例えば、拡大縮小処理や、濃度調整、階調調整等の画像改善処理が行われる。
【００１６】
印刷部１５は、本体記憶部１３に記憶された画像データを印刷する印刷手段である。印刷部１５は、例えば、本体記憶部１３から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。また、印刷部１５は、シアン、マゼンダ、イエロー、ブラック等のトナーを用いてそれぞれトナー像を形成する機能を有し、これらのトナー像を重ね合わせて記録紙に定着させることで、フルカラー印刷に対応している。
【００１７】
本体通信部１６は、無線ＬＡＮ等の無線通信によって、メガネ型端末２や外部端末と各種データを送受信する機能を有する。他にも、本体通信部１６は、ＬＡＮケーブル等の有線ケーブルを介して外部端末と各種データを送受信する機能を有している。
【００１８】
本体制御部１７は、操作パネル１１、原稿読取部１２、本体記憶部１３、画像処理部１４、印刷部１５及び本体通信部１６にそれぞれ接続されている。本体制御部１７は、ＲＯＭ、ＲＡＭ等を備えたマイクロコンピュータ等の情報処理部である。ＲＯＭには画像形成装置１の動作制御を行うための制御プログラムが記憶されている。本体制御部１７は、ＲＯＭに記憶されている制御プログラムを読み出し、制御プログラムをＲＡＭに展開させることで、装置全体の制御を行う。また、本体制御部１７は、機能受付部１７１と、原本出力制御部１７２として機能する。
【００１９】
機能受付部１７１は、操作パネル１１から原本５０の出力指示が入力されると、図３に示す機能受付画面４０を操作パネル１１に表示させ、原本５０に印刷する機能識別マーク５２の種類と、そのレイアウトとを受け付ける。機能受付画面４０には、文書データ受付欄４１と、機能受付欄４２と、レイアウト受付欄４３と、印刷実行ボタン４４とが配置されている。文書データ受付欄４１は、原本５０に文書画像５１として印刷する文書データ３０の選択を受け付ける欄である。機能受付欄４２は、原本５０に印刷する機能識別マーク５２の種類を受け付ける欄である。図４に示す例では、機能受付欄４２において選択可能な機能識別マーク５２は、印刷部数設定用、濃度設定用、印刷色設定用及び印刷頁設定用の４種類であり、この中から２種類が選択可能になっている。なお、この４種類は一例であり、縮倍率設定用、余白設定用等の印刷条件の設定に関する他の機能識別マーク５２を設けるようにしても良い。レイアウト受付欄４３は、原本５０における機能識別マーク５２のレイアウトの選択を受け付ける欄である。図３に示す例では、レイアウト受付欄４３において選択可能なレイアウトは、４隅、ヘッダー、フッターの３種類であり、この中からいずれかを選択可能になっている。なお、この３種類は一例であり、他のレイアウトを設けるようにしても良い。また、レイアウト受付欄４３で受け付けるレイアウトには、特定コード５３と、条件設定マーク５４とが予め配置されている。また、機能識別マーク５２、特定コード５３及び条件設定マーク５４は、文書画像５１と重ならない箇所にレイアウトされている。条件設定マーク５４は、印刷部数の増減、濃度の濃淡レベル、印刷色の選択に用いるためのマークである。特定コード５３は、文書ＩＤや格納先情報等の文書データ受付欄４１で受け付けた文書データ３０を一意に特定する情報である。
【００２０】
機能受付画面４０において印刷実行ボタン４４が操作されると、本体制御部１７は、原本出力制御部１７２として機能する。原本出力制御部１７２は、文書データ受付欄４１で受け付けた文書データ３０に基づいて生成した文書画像５１と、機能受付欄４２で受け付けた機能識別マーク５２とを、レイアウト受付欄４３で受け付けたレイアウトで印刷した原本５０を出力する。図４（ａ）に示す原本５０は、機能受付欄４２で印刷部数設定用と濃度設定用との機能識別マーク５２の選択を受け付けると共に、レイアウト受付欄４３で４隅のレイアウトを受け付け、文書画像５１と共に、右上余白に印刷部数設定用の機能識別マーク５２が、右下余白に濃度設定用の機能識別マーク５２が、左上余白および左下余白に条件設定マーク５４が、右下余白の機能識別マーク５２の左隣に特定コード５３がそれぞれ配置された例が示されている。また、図４（ｂ）に示す原本５０は、機能受付欄４２で印刷色設定用と印刷頁設定用との機能識別マーク５２の選択を受け付けると共に、レイアウト受付欄４３でヘッダーのレイアウトを受け付け、文書画像５１と共に、上余白に条件設定マーク５４と印刷色設定用の機能識別マーク５２と印刷頁設定用の機能識別マーク５２とが左から順に間隔をおいて配置され、特定コード５３が下余白に配置された例が示されている。なお、印刷頁設定用の機能識別マーク５２は、文書データ３０が複数頁である場合に用いられ、原本５０には、予め設定された箇所（フッター等）に頁番号が印刷される。
【００２１】
メガネ型端末２は、ユーザーが頭部に装着するメガネ型のウェアラブル端末である。図５に示すように、メガネ型端末２は、視界撮像部２１と、画面表示部２２と、端末通信部２４と、端末記憶部２５と、端末制御部２６とを備えている。
【００２２】
視界撮像部２１は、図１に示すように、メガネ型端末２の前方側に向けて配置されたＣＣＤカメラやＣＭＯＳカメラ等の固体撮像素子で構成されたカメラであり、ユーザーの前方視界の画像を撮像する。以下、視界撮像部２１によって撮像された画像を視界画像と称す。
【００２３】
画面表示部２２は、メガネ型端末２をユーザーか装着すると、図１に示すような、ユーザーの眼球の直前に位置するハーフミラー２３を表示画面として有し、ハーフミラー２３に画像光を投影することでユーザーが視認可能な各種画面を表示する。
【００２４】
端末通信部２４は、無線ＬＡＮ等の無線通信によって、画像形成装置１と各種データを送受信する機能を有する。
【００２５】
端末記憶部２５は、半導体メモリ等の記憶手段である。端末記憶部２５には、機能識別マーク５２及び条件設定マーク５４の照合に用いる機能識別マーク情報３１とレイアウト情報３２とが記憶されている。
【００２６】
端末制御部２６は、視界撮像部２１、画面表示部２２、端末通信部２４と、端末記憶部２５にそれぞれ接続され、メガネ型端末２全体の動作制御を実行する。端末制御部２６は、ＣＰＵ（Central Processing Unit）、ＲＯＭ（Read Only Memory）、ＲＡＭ（Random Access Memory）等を備えたマイクロコンピュータ等の情報処理部である。ＲＯＭにはメガネ型端末２の動作制御を行うための制御プログラムが記憶されている。端末制御部２６のＣＰＵは、ＲＯＭに記憶されている制御プログラムを読み出し、制御プログラムをＲＡＭに展開させることで、端末全体の制御を行う。また、端末制御部２６は、マーク認識部２６１と、特定コード認識部２６２と、印刷設定部２６３としてそれぞれ機能する。
【００２７】
次に、本実施の形態の印刷システムにおける文書データの印刷動作について図６乃至図９を参照して詳細に説明する。
文書データの管理をしているデータ管理者は、画像形成装置１を操作して原本５０を出力させる。原本５０は、文書データの出力イメージを確認するためのサンプルとして用いられる。文書データの利用者は、原本５０の文書画像５１を視認して出力イメージを確認した上で、原本５０とメガネ型端末２とを用いて文書データの印刷指示を行う。
【００２８】
利用者は、メガネ型端末２を装着し、視界に原本５０と捉える。図６を参照すると、メガネ型端末２の端末制御部２６は、視界画像に原本５０が捉えられるのを監視している（ステップＡ１）。端末制御部２６はマーク認識部２６１として機能し、印刷されている機能識別マーク５２及び条件設定マーク５４に基づいて原本５０を認識する。マーク認識部２６１は、形状等によって原本５０との間の相対的な位置関係を認識し、機能識別マーク情報３１及びレイアウト情報３２に基づいて機能識別マーク５２及び条件設定マーク５４のパターンマッチングを行う。そして、全ての機能識別マーク５２及び条件設定マーク５４（本実施の形態では、機能識別マーク５２＝２個、条件設定マーク５４＝２個の計４個）が予め設定されているレイアウトで印刷されていると、原本５０であると認識する。
【００２９】
ステップＡ１で視界画像に原本５０が捉えられると、端末制御部２６はＯＣＲ（光学文字認識：Optical character recognition）機能を有する特定コード認識部２６２として機能し、原本５０の所定箇所に印刷されている特定コード５３を認識して端末記憶部２５に記憶させる（ステップＡ２）。図８（ａ）には、マーク認識部２６１が、右上余白に印刷部数設定用の機能識別マーク５２が、右下余白に濃度設定用の機能識別マーク５２がそれぞれ配置された原本５０を認識した例が示されている。マーク認識部２６１は、機能識別マーク５２を認識すると、認識した機能識別マーク５２に対応する印刷条件設定画面６０を画面表示部２２のハーフミラー２３に表示させる。図８（ａ）に示す印刷条件設定画面６０では、認識した特定コード５３が表記され、印刷部数の設定欄と、濃度の設定欄とが設けられている。
【００３０】
次に、端末制御部２６は印刷設定部２６３として機能する。印刷設定部２６３は、利用者による機能識別マーク５２の指定を待機すると共に（ステップＡ３）、視界画像内から原本５０が外れることを待機する（ステップＡ４）。機能識別マーク５２が指定されることなく、ステップＡ４で視界画像内から原本５０が外れた場合には、ステップＡ１に戻る。
【００３１】
図７を参照すると、印刷設定部２６３は、全てのマーク（機能識別マーク５２、条件設定マーク５４）が認識されている状態で（ステップＢ１）、１つの機能識別マーク５２のみが不認識になることを監視している（ステップＢ２）。図８（ｂ）に示すように、１つの機能識別マーク５２を手等で隠すことで、１つの機能識別マーク５２のみが不認識状態となる。次に、印刷設定部２６３は、不認識状態が所定時間（例えば、２秒）以上継続するか否かを判断する（ステップＢ３）。
【００３２】
不認識状態で所定時間が経過する前に全てのマークが認識された状態になったり、２個以上のマークが認識されなくなったりして、ステップＢ３で不認識状態が所定時間（例えば、２秒）以上継続されなかった場合には、ステップＢ２に戻り、再び１つの機能識別マーク５２のみが不認識になることを監視する。
【００３３】
ステップＢ３で不認識状態が所定時間以上継続された後、再び全てのマーク（機能識別マーク５２、条件設定マーク５４）が認識されると（ステップＢ４）、一旦不認識になり、再び認識された機能識別マーク５２の指定を受け付ける（ステップＢ５）。図８（ｃ）に示す印刷条件設定画面６０では、右上余白の印刷部数設定用の機能識別マーク５２が指定され、印刷部数の設定欄が強調表示されている例が示されている。
【００３４】
図６を参照すると、印刷設定部２６３は、視界画像内から原本５０が外れることなく、ステップＡ３で機能識別マーク５２が指定されると、指定された機能識別マーク５２に対応する印刷条件の設定を条件設定マーク５４によって受け付ける（ステップＡ５）。１つの条件設定マーク５４と、視界撮像部２１との間に手等の遮蔽物を介在させ、図９に示すように、１つの条件設定マーク５４を手等で隠すことで、１つの条件設定マーク５４のみが不認識状態となり、印刷設定部２６３は、この１つの条件設定マーク５４のみが不認識状態を検出することで、印刷条件の設定を受け付ける。
【００３５】
例えば、図９（ａ）に示すように、印刷部数設定用の機能識別マーク５２が指定されると、条件設定マーク５４を手等で隠すことで、印刷部数が増減される。この場合、左上余白の条件設定マーク５４は印刷部数のアップを、左下余白の条件設定マーク５４は印刷部数のダウンをそれぞれ指示するために使用される。条件設定マーク５４を手等で隠した状態を維持することで、所定時間毎に印刷部数が増減されるようにしても良く、条件設定マーク５４を手等で隠す毎に、１部ずつ印刷部数が増減されるようにしても良い。
【００３６】
例えば、図９（ｂ）に示すように、濃度設定用の機能識別マーク５２が指定されると、条件設定マーク５４を手等で隠すことで、濃度の濃淡レベルが変更される。この場合、左上余白の条件設定マーク５４は濃度の濃く、左下余白の条件設定マーク５４は濃度を淡くそれぞれ指示するために使用される。条件設定マーク５４を手等で隠した状態を維持することで、所定時間毎に濃度の濃淡レベルが変更されるようにしても良く、条件設定マーク５４を手等で隠す毎に、１段階ずつ濃度の濃淡レベルが変更されるようにしても良い。
【００３７】
例えば、図９（ｃ）に示すように、印刷色設定用の機能識別マーク５２が指定されると、条件設定マーク５４を手等で隠すことで、印刷色が変更される。印刷色には、「白黒」と「カラー」とがあり、条件設定マーク５４を手等で隠すことで、「白黒」と「カラー」とが切り換わる。
【００３８】
次に、印刷設定部２６３は、利用者による機能識別マーク５２の指定を待機すると共に（ステップＡ６）、視界画像内から原本５０が外れることを待機する（ステップＡ７）。機能識別マーク５２が指定されることなく、ステップＡ７で視界画像内から原本５０が外れた場合には、印刷設定部２６３は、ステップＡ５で受け付けた印刷条件を消去して（ステップＡ８）、ステップＡ１に戻る。
【００３９】
印刷設定部２６３は、視界画像内から原本５０が外れることなく、ステップＡ６で機能識別マーク５２が指定されると、指定された機能識別マーク５２が前回指定されたものと同じか否かを判断する（ステップＡ９）。
【００４０】
ステップＡ９で、機能識別マーク５２が前回指定されたものと同じでない場合、ステップＡ５に戻って、印刷設定部２６３は、ステップＡ６で指定された機能識別マーク５２に対応する印刷条件の設定を受け付ける。
【００４１】
ステップＡ９で、機能識別マーク５２が前回指定されたものと同じである場合、印刷設定部２６３は、ステップＡ２で認識した特定コード５３と、ステップＡ５で受け付けた印刷条件とを端末通信部２４経由で画像形成装置１に送信する（ステップＡ１０）。特定コード５３と、印刷条件とを受信した画像形成装置１は、特定コード５３によって一意に特定される文書データを、受信した印刷条件で印刷する。
【００４２】
次に、印刷頁設定用の機能識別マーク５２を用いた印刷動作について図１０を参照して説明する。
印刷設定部２６３は、最初の原本５０に印刷された印刷頁設定用の機能識別マーク５２が指定されると、原本５０に印刷された頁番号を認識して、印刷条件設定画面６０における印刷頁の設定欄に印刷開始頁もしくは印刷終了頁として設定する。図１０（ａ）は、５頁目の原本５０に印刷された印刷頁設定用の機能識別マーク５２が指定され、５頁が印刷開始頁もしくは印刷終了頁として設定された状態が示されている。
【００４３】
印刷設定部２６３は、次の原本５０に印刷された印刷頁設定用の機能識別マーク５２が指定されると、原本５０に印刷された頁番号を認識して、印刷条件設定画面６０における印刷頁の設定欄に印刷終了頁もしくは印刷開始頁として設定する。図１０（ｂ）は、１０頁目の原本５０に印刷された印刷頁設定用の機能識別マーク５２が指定され、１０頁が終了頁として設定された状態が示されている。なお、次の原本５０として５頁よりも少ない例えば１頁目の原本５０に印刷された印刷頁設定用の機能識別マーク５２が指定された場合には、５頁目が終了頁として設定され、１頁目が印刷開始頁として設定される。
【００４４】
また、図１０（ｃ）に示すように、同じ特定コード５３が印刷された頁数の異なる原本５０を同時に視界画像内に捉えることで、印刷条件設定画面６０における印刷頁の設定欄に印刷開始頁と印刷終了頁とが設定されるように構成することもできる。
【００４５】
さらに、最初の原本５０に印刷された頁番号を印刷開始頁と印刷終了頁とのいずれにするかを、条件設定マーク５４を用いて受け付け、この状態で印刷が指示されると、印刷開始頁から最終頁もしくは先頭頁から印刷終了頁が印刷されるように構成することもできる。
【００４６】
本実施の形態では、上述のように同じ機能識別マーク５２を２回連続して指定されることで、印刷が実行されるように構成したが、印刷実行用の機能識別マーク５２を設け、印刷実行用の機能識別マーク５２が指定されることで、印刷が実行されるように構成しても良い。また、本実施の形態では、機能識別マーク５２を１個ずつ指定するように構成したが、機能識別マーク５２や条件設定マーク５４を複数個同時に指定可能に構成しても良い。この場合、指定を判断するタイミングとしては、最後に隠されたマークから経過時間とすると良い。指定する数や組み合わせによって、様々な機能を割り当てることが可能になる。例えば、２個の機能識別マーク５２を同時に指定することで、印刷が実行される用に構成したり、複数の機能識別マーク５２や条件設定マーク５４を順次指定することで、受け付けた印刷条件がキャンセルされる用に構成することができる。さらに、同時に指定することで機能が割り当てられた複数の機能識別マーク５２は、同一直線上に配置すると、複数の機能識別マーク５２を片手でも簡単に隠すことができ、好適である。
【００４７】
また、視界画像内にある複数の原本５０を一括して印刷可能に構成しても良い。この場合、原本５０を用いて設定した印刷条件が、他の原本５０にも反映されるように構成しても良く、それぞれの原本５０を用いてそれぞれ印刷条件を設定するようにしても良い。さらに、文書データ３０が複数頁である場合、各頁毎の原本５０を頁番号が分かる状態で出力させ、印刷したい区間の最初と最後のページを同時に視界画像内に捉え、区間内の頁を一括して印刷可能に構成することもできる。
【００４８】
さらに、原本５０には、機能識別マーク５２や条件設定マーク５４を印刷することなく、原本５０と認識可能な表記のみを印刷しておき、原本５０を視界画像に捉えることで、ＡＲ（Augmented Reality）によりメガネ型端末２の画面表示部２２（ハーフミラー２３）に機能識別マーク５２や条件設定マーク５４を表示させるようにすることもできる。この場合、原本５０と手等の遮蔽物との相対位置を検出することで、機能識別マーク５２や条件設定マーク５４の指定を受け付けるように構成すると良い。
【００４９】
以上説明したように、本実施の形態によれば、文書データ３０から文書画像５１を形成して記録紙に印刷する画像形成装置１と、メガネ型端末２とからなる印刷システムであって、画像形成装置１は、文書画像５１と共に、印刷条件設定用のマーク（機能識別マーク５２及び条件設定マーク５４）と、文書データ３０を特定する特定コード５３とを記録紙に印刷した原本５０の出力を制御する原本出力制御部１７２を具備し、メガネ型端末２は、前方視界の画像を視界画像として撮像する視界撮像部２１と、機能識別マーク５２及び条件設定マーク５４に基づいて視界画像内の原本５０を認識するマーク認識部２６１と、原本５０の特定コード５３を認識する特定コード認識部２６２と、原本５０の機能識別マーク５２及び条件設定マーク５４と視界撮像部２１との間に遮蔽物を介在させる遮蔽操作によって印刷条件を受け付ける印刷設定部２６３と、特定コード認識部２６２によって認識された特定コード５３、及び印刷設定部２６３によって受け付けられた印刷条件を印刷指示として画像形成装置１に送信する端末通信部２４とを備えている。
この構成により、文書画像５１が印刷された原本５０を用いて印刷動作を実行することができる。従って、文書データ３０の利用者は、原本５０によって実際の出力イメージを確認して上で、その原本５０を用いて簡単に印刷を実行させることができる。また、機能識別マーク５２及び条件設定マーク５４を操作キーとして用いることができるため、容易に印刷指示や印刷条件の設定を行うことができる。
【００５０】
さらに、本実施の形態において、原本出力制御部１７２は、機能識別マーク５２、条件設定マーク５４及び特定コード５３を文書画像５１と重ならない箇所に印刷させる。
この構成により、機能識別マーク５２、条件設定マーク５４及び特定コード５３に邪魔されることなく、実際の出力イメージを確認することができる。
【００５１】
さらに、本実施の形態において、印刷設定部２６３は、遮蔽操作によって指定された機能識別マーク５２に対応する印刷条件の設定を、条件設定マーク５４に対する遮蔽操作によって受け付ける。
この構成により、各種の印刷条件を容易に設定することができる。
【００５２】
さらに、本実施の形態において、印刷設定部２６３は、印刷部数設定用の機能識別マーク５２が指定された場合、条件設定マーク５４に対する遮蔽操作によって印刷部数の増減を受け付ける。
この構成により、印刷部数を容易に設定することができる。
【００５３】
さらに、本実施の形態において、印刷設定部２６３は、濃度設定用の機能識別マーク５２が指定された場合、条件設定マーク５４に対する遮蔽操作によって濃度の濃淡レベルの変更を受け付ける。
この構成により、濃度を容易に設定することができる。
【００５４】
さらに、本実施の形態において、印刷設定部２６３は、印刷色設定用の機能識別マーク５２が指定された場合、条件設定マーク５４に対する遮蔽操作によって印刷色の切り換えを受け付ける。
この構成により、印刷色を容易に設定することができる。
【００５５】
さらに、本実施の形態において、画像形成装置１の原本出力制御部１７２は、印刷頁設定用の機能識別マーク５２と、頁番号とが印刷された原本５０を出力させ、メガネ型端末２の印刷設定部２６３は、遮蔽操作によって印刷頁設定用の機能識別マーク５２が指定されると、原本５０の頁番号を印刷開始頁もしくは印刷終了頁として受け付ける。
この構成により、印刷範囲を容易に設定することができる。
【００５６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００５７】
１  画像形成装置
２  メガネ型端末
１１  操作パネル
１２  原稿読取部
１３  本体記憶部
１４  画像処理部
１５  印刷部
１６  本体通信部
１７  本体制御部
２１  視界撮像部
２２  画面表示部
２３  ハーフミラー
２４  端末通信部
２５  端末記憶部
２６  端末制御部
３０  文書データ
３１  機能識別マーク情報
３２  レイアウト情報
４０  機能受付画面
４１  文書データ受付欄
４２  機能受付欄
４３  レイアウト受付欄
４４  印刷実行ボタン
５０  原本
５１  文書画像
５２  機能識別マーク
５３  特定コード
５４  条件設定マーク
６０  印刷条件設定画面
１７１  機能受付部
１７２  原本出力制御部
２６１  マーク認識部
２６２  特定コード認識部
２６３  印刷設定部
【図１】
0006500842.tif 000002
【図２】
0006500842.tif 000003
【図３】
0006500842.tif 000004
【図４】
0006500842.tif 000005
【図５】
0006500842.tif 000006
【図６】
0006500842.tif 000007
【図７】
0006500842.tif 000008
【図８】
0006500842.tif 000009
【図９】
0006500842.tif 000010
【図１０】
0006500842.tif 000011